(57)【特許請求の範囲】
【請求項１】
シンク付きのカウンターが設けられたキッチンに設置可能なまな板収納具であって、
前記シンクの内側に配置され、内部にまな板を立てた状態で収納可能なまな板収納部と
、
前記シンクの外縁上面、又は、前記カウンターに戴置されることで、前記まな板収納部
を支える支持部と、を備え、
前記まな板収納部は、内部に収納されるまな板の上端位置を切り替えることが可能な切
替手段を有し、
前記支持部は、前記まな板収納具の一端側に設けられた第一支持部と、前記まな板収納具の他端側に設けられた第二支持部と、を有し、
さらに、前記第一支持部と前記第二支持部とを繋ぐフレーム部を有し、
前記まな板収納部は、第一まな板収納口及び第一底部を有する第一まな板差込部と、第二まな板収納口及び第二底部を有する第二まな板差込部と、を有し、
前記切替手段は、前記まな板収納部を上下に反転させることで収納されるまな板の上端位置を切り替えるとともに、前記第一まな板差込部及び前記第二まな板差込部が前記フレーム部よりも上方に位置する状態と、前記フレーム部よりも下方に位置する状態と、に切り替え可能であることを特徴とするまな板収納具。
【請求項２】
前記切替手段は、前記まな板収納具を上下に反転させることで、前記まな板収納部を上
下に反転させ、収納されるまな板の上端位置を切り替えることを特徴とする請求項１に記
載のまな板収納具。
【請求項３】
前記第一まな板収納口及び前記第二まな板収納口は、水平方向にずれた状態で向かいあ
うように配置され、
前記第一まな板収納口から前記第一底部までの距離は、前記第二まな板収納口から前記
第二底部までの距離より長いことを特徴とする請求項１又は２に記載のまな板収納具。
【請求項４】
前記第二まな板差込部に収納されたまな板を支える寄りかかり部が、前記第一まな板差
込部に形成されていることを特徴とする請求項３に記載のまな板収納具。
【請求項５】
前記まな板収納部は、前記第一支持部の近傍及び前記第二支持部の近傍にそれぞれ設け
られた突出部をさらに有し、
前記突出部は、前記まな板収納具を前記シンク内に配置した第一状態で、前記シンクの
内壁と向かい合うように前記第一支持部及び前記第二支持部より下方に突出した第一突出
部と、前記第一状態から前記まな板収納具を上下に反転させ、前記まな板収納具を前記シ
ンク内に配置した第二状態で、前記シンクの内壁と向かい合うように前記第一支持部及び
前記第二支持部より下方に突出した第二突出部と、を有することを特徴とする請求項２に
記載のまな板収納具。
【発明の詳細な説明】
【技術分野】
【０００１】
本発明の態様は、一般的に、シンク付きのカウンターが設けられたキッチンに設置可能なまな板収納具に関する。
【背景技術】
【０００２】
従来、キッチンのカウンター上に戴置され、まな板を立てた状態で収納可能なまな板収納具が知られている。このまな板収納具によれば、まな板を立てた状態で収納できるため、まな板収納具に収納されたまな板の表面に付着した水滴が重力によって下方へ排出されることになり、まな板の水はけが良くなる。そのため、まな板の表面に黴が発生してしまうことを抑制できる。
【０００３】
しかし、このようなまな板収納具において、収納されたまな板から下方へ排出された水滴は、まな板収納具が戴置されたカウンターの上に溜まってしまうこととなり、カウンターの表面に水垢等が発生してしまう原因となってしまう。そこで、まな板収納具の端部をキッチンのカウンター又はシンク上端に戴置させ、まな板収納具をシンク上に配置させることによって、収納されたまな板から下方へ流れ出た水滴をシンク内に排出できる構造が考えられている。
【０００４】
しかしながら、このような従来のまな板収納具においては、まな板収納具がシンク上に配置されるため、まな板収納具に収納されたまな板が、シンク上端から上方へ、まな板の高さ分突出することになり、まな板収納具に収納されたまな板が目立ち、キッチン空間の見栄えが悪くなるといった問題がある。
【０００５】
この問題が発生することを抑制するためには、まな板収納具をシンク内に配置させれば良いが、このような構造であると、まな板収納具のまな板が戴置される底部がシンクの底面に近づいてしまう。その結果、調理や食器洗いに利用した水がシンクの底面から跳ね返った際に、この水がまな板収納具に収納されたまな板に掛かってしまう可能性が高まり、まな板が衛生的でないという問題が発生する。また、このようにまな板に水が付着するシーンが増えることで、まな板の表面に黴が発生してしまう可能性が高まってしまうため、この点においてもまな板が衛生的でないという問題が発生する。
【先行技術文献】
【特許文献】
【０００６】
【特許文献１】特開２００５−６６２８７号公報
【特許文献２】特開２００７−１３０２６５号公報
【発明の概要】
【発明が解決しようとする課題】
【０００７】
本発明は、かかる課題の認識に基づいてなされたものであり、シンク内に配置した際にも、キッチン空間の見栄えの良さを保てる状態と収納されたまな板の衛生性を保てる状態とを切り替えることができるまな板収納具を提供することを目的とする。
【課題を解決するための手段】
【０００８】
第１の発明は、シンク付きのカウンターが設けられたキッチンに設置可能なまな板収納
具であって、前記シンクの内側に配置され、内部にまな板を立てた状態で収納可能なまな
板収納部と、前記シンクの外縁上面、又は、前記カウンターに戴置されることで、前記ま
な板収納部を支える支持部と、を備え、前記まな板収納部は、内部に収納されるまな板の
上端位置を切り替えることが可能な切替手段を有し、前記支持部は、前記まな板収納具の一端側に設けられた第一支持部と、前記まな板収納具の他端側に設けられた第二支持部と、を有し、さらに、前記第一支持部と前記第二支持部とを繋ぐフレーム部を有し、前記まな板収納部は、第一まな板収納口及び第一底部を有する第一まな板差込部と、第二まな板収納口及び第二底部を有する第二まな板差込部と、を有し、前記切替手段は、前記まな板収納部を上下に反転させることで収納されるまな板の上端位置を切り替えるとともに、前記第一まな板差込部及び前記第二まな板差込部が前記フレーム部よりも上方に位置する状態と、前記フレーム部よりも下方に位置する状態と、に切り替え可能であることを特徴とするまな板収納具である。
【０００９】
このまな板収納具によれば、まな板収納部は、内部に収納されるまな板の上端位置を切
り替えることが可能な切替手段を有するため、まな板収納具をシンク内に配置した際にも
、使用者は、キッチン空間の見栄えの良さを保てる状態と収納されたまな板の衛生性を保
てる状態とを切り替えることができる。即ち、家に客人が来た際など、キッチン空間の見
栄えの良さを保ちたい場合には、切替手段によって収納されるまな板の上端位置を低めの
位置に切り替えることで、収納されたまな板を目立たなくすることができる。一方、調理
や食器洗いをする場合には、切替手段によって収納されるまな板の上端位置を高めの位置
に切り替えることで、収納されたまな板をシンクの底面から極力遠ざけることができる。
さらに、このまな板収納具によれば、切替手段は、まな板収納部を上下に反転させることで収納されるまな板の上端位置を切り替えるため、まな板の上端位置を調整するための複雑な作業や新たな部材等が必要でなく、使用者による上下反転動作によって容易にまな板の上端位置を切り替えることができる。したがって、使用者は、キッチン空間の見栄えの良さを保てる状態と収納されたまな板の衛生性を保てる状態とを容易に切り替えることができる。
【００１２】
第２の発明は、第１の発明において、前記切替手段は、前記まな板収納具を上下に反転
させることで、前記まな板収納部を上下に反転させ、収納されるまな板の上端位置を切り
替えることを特徴とするまな板収納具である。
【００１３】
このまな板収納具によれば、切替手段は、まな板収納具を上下に反転させることで、まな板収納部を上下に反転させ、収納されるまな板の上端位置を切り替えるため、まな板の上端位置を切り替える度に、支持部からまな板収納部を取り外す必要がなく、まな板収納具ごと上下に反転させることで、容易にまな板の上端位置を切り替えることが可能となる。
【００１４】
第３の発明は、第１又は第２の発明において、前記第一まな板収納口及び前記第二まな板収納口は、水平方向にずれた状態で向かいあうように配置され、前記第一まな板収納口から前記第一底部までの距離は、前記第二まな板収納口から前記第二底部までの距離より長いことを特徴とするまな板収納具である。
【００１５】
このまな板収納具によれば、第一まな板収納口から第一底部までの距離は、第二まな板収納口から第二底部までの距離より長いため、第一まな板差込部にまな板を収納させるか、又は、まな板収納部を上下に反転させ、第二まな板差込部にまな板を収納させるか、を選択することによって、使用者によるまな板の上端位置の切り替えを簡単に行うことができる。
【００１６】
第４の発明は、第３の発明において、前記第二まな板差込部に収納されたまな板を支え
る寄りかかり部が、前記第一まな板差込部に形成されていることを特徴とするまな板収納
具である。
【００１７】
このまな板収納具によれば、第二まな板差込部に収納されたまな板を支える寄りかかり部が、第一まな板差込部に形成されているため、第一まな板差込部より収納深さが浅い第二まな板差込部にまな板を収納した際でも、まな板の自重によってまな板が転倒してしまうことを抑制することができる。
【００１８】
第５の発明は、第２の発明において、前記まな板収納部は、前記第一支持部の近傍及び前記第二支持部の近傍にそれぞれ設けられた突出部をさらに有し、前記突出部は、前記まな板収納具を前記シンク内に配置した第一状態で、前記シンクの内壁と向かい合うように前記第一支持部及び前記第二支持部より下方に突出した第一突出部と、前記第一状態から前記まな板収納具を上下に反転させ、前記まな板収納具を前記シンク内に配置した第二状態で、前記シンクの内壁と向かい合うように前記第一支持部及び前記第二支持部より下方に突出した第二突出部と、を有することを特徴とするまな板収納具である。
【００１９】
このまな板収納具によれば、まな板収納部は、第一支持部の近傍及び第二支持部の近傍にそれぞれ設けられた突出部をさらに有し、突出部は、まな板収納具をシンク内に配置した第一状態で、シンクの内壁と向かい合うように第一支持部及び第二支持部より下方に突出した第一突出部と、第一状態からまな板収納具を上下に反転させ、まな板収納具をシンク内に配置した第二状態で、シンクの内壁と向かい合うように第一支持部及び第二支持部より下方に突出した第二突出部と、を有するため、まな板収納部を上下反転させた際にも、突出部が常にシンク内壁と対面する位置に設置されることとなる。よって、第一状態であっても第二状態であっても、まな板収納具へ第一支持部から第二支持部へ向かう外力が加わった際、及び、まな板収納具へ第二一支持部から第一支持部へ向かう外力が加わった際には、突出部がシンク内壁と当接することで、まな板収納具がシンク内へ落下してしまうことを防ぐことができる。
【発明の効果】
【００２０】
本発明の態様によれば、シンク内に配置した際にも、キッチン空間の見栄えの良さを保てる状態と収納されたまな板の衛生性を保てる状態とを切り替えることができるまな板収納具を提供することができる。
【図面の簡単な説明】
【００２１】
【図１】本発明の第１の実施の形態に係るまな板収納具を示す模式的斜視図である。
【図２】図１のまな板収納具が上下に反転された状態を示す模式斜視図である。
【図３】図１のまな板収納具がシンクに設置された状態を示す模式的斜視図である。
【図４】図３のまな板収納具にまな板が収納された状態を示す模式図である。
【図５】図２のまな板収納具がシンクに設置された状態を示す模式斜視図である。
【図６】図５のまな板収納具にまな板が収納された状態を示す模式図である。
【図７】図６のまな板収納具が洗剤ラックに接続された状態を示す模式図である。
【図８】本発明の第２の実施の形態に係るまな板収納具を示す模式的斜視図である。
【図９】図８のまな板収納具がシンクに設置された状態を示す模式的斜視図である。
【図１０】図８のまな板収納具がシンクに設置された状態を示す模式的斜視図である。
【図１１】図９のまな板収納具にまな板が収納された状態を示す模式図である。
【図１２】図１０のまな板収納具にまな板が収納された状態を示す模式図である。
【図１３】本発明の第３の実施の形態に係るまな板収納具を示す模式的斜視図である。
【図１４】図１３のまな板収納具にまな板が収納された状態を示す模式図である。
【図１５】図１３のまな板収納具にまな板が収納された状態を示す模式図である。
【図１６】本発明の他の実施の形態に係るまな板収納具を示す模式図である。
【発明を実施するための形態】
【００２２】
以下、本発明の実施の形態について図面を参照しつつ説明する。なお、各図面中、同様の構成要素には同一の符号を付して詳細な説明は適宜省略する。
また、本発明において、使用者が調理するためにキッチンキャビネット１００に向かって立っている位置が、キッチンキャビネット１００に対する「前方」であると定義する。
【００２３】
図１は、本発明の第１の実施の形態に係るまな板収納具を示す模式的斜視図である。図２は、図１のまな板収納具が上下に反転された状態を示す模式斜視図である。図３は、図１のまな板収納具がシンクに設置された状態を示す模式的斜視図である。
【００２４】
図１〜３に示すように、まな板収納具１は、内部に例えば作業面が略長方形形状のまな板２（図４参照）を立てた状態で収納可能なまな板収納部４と、キッチンキャビネット１００のシンク６の外縁上面に戴置されることで、まな板収納部４を支える第一支持部（支持部）５及び第二支持部（支持部）７と、洗剤ラック８（図７参照）に接続可能な洗剤ラック接続部１０と、を備えている。このまな板収納具１は、例えば、ワイヤー等の線材によって形成されている。このまな板収納具１は、例えば、金属製である。第一支持部５及び第二支持部７は、それぞれまな板収納具１の前後端部に形成されている。本実施形態において、第一支持部５及び第二支持部７はシンク６の外縁上面に戴置されているが、キッチンキャビネット１００のカウンター１２に戴置されても良い。
【００２５】
まな板収納具１は、第一まな板収納口１４及び第一底部１６を有する第一まな板差込部１８と、第二まな板収納口２０及び第二底部２２を有する第二まな板差込部２４と、を有する。第一まな板収納口１４及び第二まな板収納口２０は、例えば左右方向にずれた状態で、向かいあうように配置されている。より詳述すると、第一まな板収納口１４及び第二まな板収納口２０は、例えば左右方向にずれた状態で、それぞれ逆方向に向かって開口するように配置されている。第一支持部５及び第二支持部７から第一底部１６までの上下方向の長さ（高さ距離）は、第一支持部５及び第二支持部７から第二底部２２までの上下方向の長さ（高さ距離）より、長い。
【００２６】
まな板収納部４は、図１のような第一まな板差込部１８の第一まな板収納口１４が第一底部１６より上方に位置している状態（第一状態）から、まな板収納具１が上下に反転されることで、図２のような第二まな板差込部２４の第二まな板収納口２０が第二底部２２より上方に位置している状態（第二状態）に切替可能な切替手段を有する。まな板収納具１が第一状態にあるとき、まな板２を第一まな板収納口１４から差し込んで第一底部１６に戴置することで、まな板２を第一まな板差込部１８に収納することができる。また、まな板収納具１が第二状態にあるとき、まな板２を第二まな板収納口２０から差し込んで第二底部２２に戴置することで、まな板２を第二まな板差込部２４に収納することができる。第一まな板収納口１４から第一底部１６までの距離は、第二まな板収納口２０から第二底部２２までの距離より長いため、切替手段によって第一状態と第二状態とを切り替えることで、容易にまな板２の上端位置を切り替えることが可能となる。
【００２７】
図４は、図３のまな板収納具にまな板が収納された状態を示す模式図である。
なお、図４（ａ）は、図３のまな板収納具にまな板が収納された状態を示す模式的斜視図であり、図４（ｂ）は、図３のまな板収納具にまな板が収納された状態を示す模式的上面図であり、図４（ｃ）は、図４（ｂ）の模式的Ａ―Ａ断面図であり、図４（ｄ）は、図４（ｂ）の模式的Ｂ―Ｂ断面図である。
【００２８】
図４に示すように、まな板収納具１が状態１にあるとき、まな板２は、第一まな板差込部１８の内側部分またはカウンター１２に寄りかかった状態で、第一まな板差込部１８に収納される。まな板２は、第一まな板差込部１８の内部において、まな板２の長手方向が略水平となるように配置される。このことより、まな板２の短手方向が略水平となるように配置されたときと比べ、まな板２の上端位置の高さを小さくすることができる。第一まな板差込部１８に収納されたまな板２の上端位置の高さは、Ｈ１である。また、まな板収納具１が状態１にあるときの第一底部１６の、シンク６の底面からの高さは、Ｌ１である。
【００２９】
まな板収納部４は、第一支持部５の近傍及び第二支持部７の近傍にそれぞれ設けられた第一突出部（突出部）２６及び第二突出部（突出部）２８を有する。第一突出部２６は、まな板収納具１が状態１にあるとき、シンク６の内壁と向かい合うように第一支持部５及び第二支持部７より下方に突出している。このことより、まな板収納具１へ第一支持部５から第二支持部７へ向かう外力が加わった際、及び、まな板収納具１へ第二支持部７から第一支持部５へ向かう外力が加わった際には、第一突出部２６がシンク６の内壁と当接することで、まな板収納具１がシンク６内へ落下してしまうことを防ぐことができる。なお、第二突出部２８の役割は、後に詳述する。
【００３０】
図５は、図２のまな板収納具がシンクに設置された状態を示す模式斜視図である。図６は、図５のまな板収納具にまな板が収納された状態を示す模式図である。
なお、図６（ａ）は、図５のまな板収納具にまな板が収納された状態を示す模式的斜視図であり、図６（ｂ）は、図５のまな板収納具にまな板が収納された状態を示す模式的上面図であり、図６（ｃ）は、図６（ｂ）の模式的Ｃ―Ｃ断面図であり、図６（ｄ）は、図４（ｂ）の模式的Ｄ―Ｄ断面図である。
【００３１】
図５及び６に示すように、まな板収納具１が状態２にあるとき、まな板２は、第一まな板差込部１８の外側部分に形成された寄りかかり部３０に寄りかかった状態で、第二まな板差込部２４に収納される。まな板２は、第二まな板差込部２４の内部において、まな板２の長手方向が略水平となるように配置される。このことより、まな板２の短手方向が略水平となるように配置されたときと比べ、まな板２の上端位置の高さを小さくすることができる。第二まな板差込部２４に収納されたまな板２の上端位置の高さは、Ｈ２である。また、まな板収納具１が状態２にあるときの第二底部２２の、シンク６の底面からの高さは、Ｌ２である。
【００３２】
まな板収納具１が状態１にあるときに第一まな板差込部１８に収納されたまな板２の上端位置の高さＨ１は、まな板収納具１が状態２にあるときに第二まな板差込部２４に収納されたまな板２の上端位置の高さＨ２より、小さい。したがって、まな板収納具１を状態１の状態で使用すれば、まな板２がキッチンキャビネット１００の上端から突出する高さを抑えることができ、キッチン空間の見栄えの良さを保つことができる。
【００３３】
まな板収納具１が状態２にあるときの、第二底部２２の、シンク６の底面からの高さＬ２は、まな板収納具１が状態１にあるときの、第一底部１６の、シンク６の底面からの高さＬ１より、大きい。したがって、まな板収納具１を状態２の状態で使用すれば、調理や食器洗いに利用した水がシンク６の底面から跳ね返った際に、この水がまな板収納具１に収納されたまな板２に掛かってしまう可能性を抑えることができ、まな板２の衛生性を保つことができる。
【００３４】
以上説明したように、本実施形態におけるまな板収納具１によれば、まな板収納具１が状態１の状態において第一まな板差込部１８にまな板２を収納させるか、又は、まな板収納具１の切替手段によって、まな板収納具１が状態１の状態からまな板収納具１を上下に反転させ、まな板収納具１を状態２の状態にし、その状態において、第二まな板差込部２４にまな板２を収納させるか、を選択することによって、使用者によるまな板２の上端位置の切り替え、および、まな板２の下端位置の切り替えを簡単に行うことができる。
【００３５】
まな板収納具１を状態２の状態で使用したとき、第二底部２２の、シンク６の底面からの高さＬ２は、まな板収納具１が状態１にあるときの、第一底部１６の、シンク６の底面からの高さＬ１より、大きいため、第二底部２２に戴置されて第二まな板差込部２４に収納されたまな板２は、第二まな板収納口２０から大きく突出している。このことより、第二まな板差込部２４に収納されたまな板２は、まな板２の自重によって左右に転倒やすい。しかし、本実施形態においては、まな板２を寄りかかり部３０に当接させた状態で、第二まな板差込部２４に収納することができるため、第二まな板差込部２４はより安定してまな板を収納でき、まな板２が、まな板２の自重によって左右に転倒してしまうことを防ぐことができる。
【００３６】
第二突出部２８は、まな板収納具１が状態２にあるとき、シンク６の内壁と向かい合うように第一支持部５及び第二支持部７より下方に突出している。このことより、まな板収納具１へ第一支持部５から第二支持部７へ向かう外力が加わった際、及び、まな板収納具１へ第二支持部７から第一支持部５へ向かう外力が加わった際には、第二突出部２８がシンク６の内壁と当接することで、まな板収納具１がシンク６内へ落下してしまうことを防ぐことができる。
【００３７】
第一まな板差込部１８及び第二まな板差込部２４は、それぞれ左右に並んで形成されている。また、第一支持部５及び第二支持部７は、それぞれ、第一まな板差込部１８及び第二まな板差込部２４の前後端部に亘って形成されている。このことより、まな板収納具１が状態１にあるときにまな板２を第一まな板差込部１８に収納した際にも、まな板収納具１が状態２にあるときにまな板２を第二まな板差込部２４に収納したにも、第一支持部５及び第二支持部７によって安定してまな板２及びまな板収納具１をシンク６の外縁上面に戴置させることができる。
【００３８】
図７は、図６のまな板収納具が洗剤ラックに接続された状態を示す模式図である。
なお、図７（ａ）は、図６のまな板収納具が洗剤ラックに接続された状態を示す模式的斜視図であり、図７（ｂ）は、図６のまな板収納具が洗剤ラックに接続された状態における、キッチンキャビネットを前方側からみたときの模式的断面図である。
【００３９】
図７に示すように、キッチンキャビネット１００のシンク内には、洗剤ラック８が設置される。洗剤ラック８の中には、洗剤３４やスポンジ３６等が収納される。洗剤ラック８の前後端部には、洗剤ラック支持部３２がそれぞれ形成されている。それぞれの洗剤ラック支持部３２がシンク６の外縁上面に戴置されることで、洗剤ラック８を支えている。
【００４０】
洗剤ラック接続部１０は、まな板収納具１が状態２にあるとき、洗剤ラック８に接続される。より詳述すると、洗剤ラック接続部１０は、まな板収納具１が状態２にあるとき、洗剤ラック８の右側の上端部に、上方から嵌合されることで、着脱自在に接続される。このことより、洗剤ラック８及び洗剤ラック８に収納された洗剤３４やスポンジ３６等の重さによって、洗剤ラック８に接続されたまな板収納具１を安定してシンク６に設置することができ、第二まな板差込部２４に収納されたまな板２が、まな板収納具１ごと、まな板２の自重によって左右に転倒してしまうことを防ぐことができる。
【００４１】
図８は、本発明の第２の実施の形態に係るまな板収納具を示す模式的斜視図である。図９及び１０は、図８のまな板収納具がシンクに設置された状態を示す模式的斜視図である。
なお、図８（ａ）は、本発明の第２の実施の形態に係るまな板収納具が第一状態のときの模式的斜視図であり、図８（ｂ）は、本発明の第２の実施の形態に係るまな板収納具が第二状態のときの模式的斜視図であり、図８（ｃ）は、本発明の第２の実施の形態に係るまな板収納具の模式的分解斜視図である。
また、図９は、図８のまな板収納具が後述する第一状態であるときにシンクに設置された状態を示す模式的斜視図であり、図１０は、図８のまな板収納具が後述する第二状態であるときにシンクに設置された状態を示す模式的斜視図である。
【００４２】
図８〜１０に示すように、本発明の第２の実施の形態に係るまな板収納具１Ａにおいては、まな板収納具１Ａは、内部にまな板２を立てた状態で収納可能なまな板収納部４Ａと、第一支持部５、第二支持部７、及び洗剤ラック接続部１０を有するまな板収納具本体部３８と、を備えている。まな板収納部４Ａは、まな板収納具本体部３８に着脱自在に設置されている。まな板収納部４Ａは、まな板収納口４０及び底部４２を有している。まな板収納部４Ａは、まな板２をまな板収納口４０から差し込んで底部４２に戴置することで、まな板２を収納することができる。
【００４３】
まな板収納部４Ａの左右上端には、引っ掛かり部４４がそれぞれ設けられている。また、まな板収納具本体部３８の左右には、引っ掛かり部４４を引っ掛け可能な第一引っ掛け部４６及び第二引っ掛け部４８がそれぞれ設けられている。第一引っ掛け部４６は、第二引っ掛け部４８より、下方に設けられている。以後、まな板収納部４Ａにおいて、引っ掛かり部４４が第一引っ掛け部４６に引っ掛かっている状態を第一状態、引っ掛かり部４４が第二引っ掛け部４８に引っ掛かっている状態を第二状態、とする。即ち、まな板収納部４は、第一状態から第二状態に切り替えることで、まな板収納部４Ａに収納されるまな板の上端位置を切替可能な切替手段を有する。
【００４４】
図１１は、図９のまな板収納具にまな板が収納された状態を示す模式図である。
なお、図１１（ａ）は、図９のまな板収納具にまな板が収納された状態を示す模式斜視図であり、図１１（ｂ）は、図９のまな板収納具にまな板が収納された状態におけるキッチンキャビネットを前方側からみたときの模式断面図である。
【００４５】
図１１に示すように、まな板収納具１Ａが状態１にあるとき、まな板２は、まな板収納部４Ａの内側部分またはカウンター１２に寄りかかった状態で、まな板収納部４Ａに収納される。まな板２は、まな板収納部４Ａの内部において、まな板２の長手方向が略水平となるように配置される。このことより、まな板２の短手方向が略水平となるように配置されたときと比べ、まな板２の上端位置の高さを小さくすることができる。まな板収納具１が状態１にあるとき、まな板収納部４Ａに収納されたまな板２の上端位置の高さは、Ｈ３である。また、まな板収納具１Ａが状態１にあるときの底部４２の、シンク６の底面からの高さは、Ｌ３である。
【００４６】
図１２は、図１０のまな板収納具にまな板が収納された状態を示す模式図である。
なお、図１２（ａ）は、図１０のまな板収納具にまな板が収納された状態を示す模式的斜視図であり、図１２（ｂ）は、図１０のまな板収納具にまな板が収納された状態におけるキッチンキャビネットを前方側からみたときの模式的断面図である。
【００４７】
図１２に示すように、まな板収納具１Ａが状態２にあるとき、まな板２は、まな板収納部４Ａの内側部分またはカウンター１２に寄りかかった状態で、まな板収納部４Ａに収納される。まな板収納具１が状態２にあるとき、まな板収納部４Ａに収納されたまな板２の上端位置の高さは、Ｈ４である。また、まな板収納具１Ａが状態２にあるときの底部４２の、シンク６の底面からの高さは、Ｌ４である。
【００４８】
まな板収納具１Ａが状態１にあるときにまな板収納部４Ａに収納されたまな板２の上端位置の高さＨ３は、まな板収納具１Ａが状態２にあるときにまな板収納部４Ａに収納されたまな板２の上端位置の高さＨ４より、小さい。したがって、まな板収納具１Ａを状態１の状態で使用すれば、まな板２がキッチンキャビネット１００の上端から突出する高さを抑えることができ、キッチン空間の見栄えの良さを保つことができる。
【００４９】
まな板収納具１Ａが状態２にあるときの、底部４２の、シンク６の底面からの高さＬ３は、まな板収納具１Ａが状態１にあるときの、底部４２の、シンク６の底面からの高さＬ４より、大きい。したがって、まな板収納具１Ａを状態２の状態で使用すれば、調理や食器洗いに利用した水がシンク６の底面から跳ね返った際に、この水がまな板収納具１Ａに収納されたまな板２に掛かってしまう可能性を抑えることができ、まな板２の衛生性を保つことができる。
【００５０】
以上説明したように、本実施形態におけるまな板収納具１Ａによれば、まな板収納具１Ａが状態１の状態においてまな板収納部４Ａにまな板２を収納させるか、又は、まな板収納具１Ａの切替手段によって、まな板収納具１Ａが状態１の状態から状態２の状態にし、その状態において、まな板収納部４Ａにまな板２を収納させるか、を選択することによって、使用者によるまな板２の上端位置の切り替え、および、まな板２の下端位置の切り替えを簡単に行うことができる。
【００５１】
図１３は、本発明の第３の実施の形態に係るまな板収納具を示す模式的斜視図であり、図１４は、図１３のまな板収納具にまな板が収納された状態を示す模式図であり、図１５は、図１３のまな板収納具にまな板が収納された状態を示す模式図である。
なお、図１３（ａ）は、本発明の第３の実施の形態に係るまな板収納具が第一状態のときの模式的斜視図であり、図１３（ｂ）は、本発明の第３の実施の形態に係るまな板収納具が第二状態のときの模式的斜視図であり、図１３（ｃ）は、本発明の第３の実施の形態に係るまな板収納具の模式的分解斜視図である。また、図１４（ａ）は、図１３（ａ）のまな板収納具にまな板が収納された状態を示す模式的斜視図であり、図１４（ｂ）は、図１３（ａ）のまな板収納具にまな板が収納された状態を示す模式的断面図である。そして、図１５（ａ）は、図１３（ｂ）のまな板収納具にまな板が収納された状態を示す模式的斜視図であり、図１５（ｂ）は、図１３（ｂ）のまな板収納具にまな板が収納された状態を示す模式的断面図である。
【００５２】
図１３〜１５に示すように、本発明の第３の実施の形態に係るまな板収納具１Ｂにおいては、まな板収納具１Ｂは、内部にまな板２を立てた状態で収納可能なまな板収納部４Ｂと、第一支持部５、第二支持部７、及び洗剤ラック接続部１０を有するまな板収納具本体部３８Ａと、を備えている。まな板収納部４Ｂは、まな板収納具本体部３８Ａに着脱自在に設置されている。まな板収納部４Ｂは、第一まな板差込部１８Ａ及び第二まな板差込部２４Ａを有している。第一まな板差込部１８Ａは、第一まな板収納口１４Ａ及び第一底部１６Ａを有している。第二まな板差込部２４Ａは、第二まな板収納口２０Ａ及び第二底部２２Ａを有している。第一まな板差込部１８Ａは、まな板２を第一まな板収納口１４Ａから差し込んで第一底部１６Ａに戴置することで、まな板２を収納することができる（第一状態）。まな板収納部４Ｂをまな板収納具本体部３８Ａから取り外し、まな板収納部４Ｂを上下に反転させて、まな板収納具本体部３８Ａに取り付けることで、第一状態から第二状態に切り替えることができる。第二状態において、第二まな板差込部２４Ａは、まな板２を第二まな板収納口２０Ａから差し込んで第二底部２２Ａに戴置することで、まな板２を収納することができる。
【００５３】
第一状態において、まな板収納部４Ｂは、まな板収納部４Ｂの第一引っ掛かり部５０がまな板収納具本体部３８Ａの引っ掛け部５４に係合されることで、まな板収納具本体部３８Ａに保持されている。一方、第二状態において、まな板収納部４Ｂは、まな板収納部４Ｂの第二引っ掛かり部５２がまな板収納具本体部３８Ａの引っ掛け部５４に係合されることで、まな板収納具本体部３８Ａに保持されている。
【００５４】
まな板収納具１Ｂが状態１にあるときにまな板収納部４Ｂに収納されたまな板２の上端位置の高さは、まな板収納具１Ｂが状態２にあるときにまな板収納部４Ｂに収納されたまな板２の上端位置の高さより、小さい。したがって、まな板収納具１Ｂを状態１の状態で使用すれば、まな板２がキッチンキャビネット１００の上端から突出する高さを抑えることができ、キッチン空間の見栄えの良さを保つことができる。
【００５５】
まな板収納具１Ｂが状態２にあるときの、第一底部１６Ａの、シンク６の底面からの高さは、まな板収納具１Ｂが状態１にあるときの、第二底部２２Ａの、シンク６の底面からの高さより、大きい。したがって、まな板収納具１Ｂを状態２の状態で使用すれば、調理や食器洗いに利用した水がシンク６の底面から跳ね返った際に、この水がまな板収納具１Ｂに収納されたまな板２に掛かってしまう可能性を抑えることができ、まな板２の衛生性を保つことができる。
【００５６】
以上、本発明の実施の形態について説明した。しかし、本発明はこれらの記述に限定されるものではない。
【００５７】
図１６は、本発明の他の実施の形態に係るまな板収納具を示す模式図である。
なお、図１６（ａ）は、本発明の他の実施の形態に係るまな板収納具を示す模式的斜視図であり、図１６（ｂ）は、図１６（ａ）のまな板収納具にまな板が収納された状態を示す模式的断面図であり、図１６（ｃ）は、図１６（ｂ）のまな板収納具を９０度回転させた状態でまな板が収納されたまな板収納具を示す模式的断面図である。
本発明においては、例えば、図１６に示すように、まな板収納具１Ｃを９０度回転させることで、まな板２を収納可能な第一まな板差込部１８Ｂ及び第二まな板差込部２４Ｂを、切り替えるものであっても良い。この際、第一まな板差込部１８Ｂに収納されたまな板２の上端位置Ｈ５は、第二まな板差込部２４Ｂに収納されたまな板２の上端位置Ｈ６より、低いものである。
【００５８】
本発明の一実施形態において、支持部である第一支持部５及び第二支持部７は、シンク６の外縁上面に戴置されるものであったが、それに限らず、カウンター１２に戴置されるものであっても良い。
【００５９】
前述の実施の形態に関して、当業者が適宜設計変更を加えたものも、本発明の特徴を備えている限り、本発明の範囲に包含される。例えば、まな板収納具１やキッチンキャビネット１００などが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００６０】
１、１Ａ、１Ｂ、１Ｃ まな板収納具、  ２ まな板、  ４、４Ａ、４Ｂ まな板収納部、  ５ 第一支持部（支持部）、  ６ シンク、  ７ 第二支持部（支持部）、  ８ 洗剤ラック、  １０ 洗剤ラック接続部、  １２ カウンター、  １４、１４Ａ 第一まな板収納口、  １６、１６Ａ 第一底部、  １８、１８Ａ、１８Ｂ 第一まな板差込部、  ２０、２０Ａ 第二まな板収納口、  ２２、２２Ａ 第二底部、  ２４、２４Ａ、２４Ｂ 第二まな板差込部、  ２６ 第一突出部（突出部）、  ２８ 第二突出部（突出部）、  ３０ 寄りかかり部、  ３２ 洗剤ラック支持部、  ３４ 洗剤、  ３６ スポンジ、  ３８、３８Ａ まな板収納具本体部、  ４０ まな板収納口、  ４２ 底部、  ４４ 引っ掛かり部、４６ 第一引っ掛け部、  ４８ 第二引っ掛け部、  ５０ 第一引っ掛かり部、  ５２ 第二引っ掛かり部、  ５４ 引っ掛け部、  １００ キッチンキャビネット
【図１】
0006628209.tif 000002
【図２】
0006628209.tif 000003
【図３】
0006628209.tif 000004
【図４】
0006628209.tif 000005
【図５】
0006628209.tif 000006
【図６】
0006628209.tif 000007
【図７】
0006628209.tif 000008
【図８】
0006628209.tif 000009
【図９】
0006628209.tif 000010
【図１０】
0006628209.tif 000011
【図１１】
0006628209.tif 000012
【図１２】
0006628209.tif 000013
【図１３】
0006628209.tif 000014
【図１４】
0006628209.tif 000015
【図１５】
0006628209.tif 000016
【図１６】
0006628209.tif 000017